(57)【要約】【課題】  配線作業を容易とすると共により優れた外観とし、かつスクリーンを保護する回転自在なカバーを備えた表示装置を提供する。【解決手段】  表示装置１００の本体１１０は、スクリーン１２０を有する第１の表面１１１、第１の表面と平行な背面となる第２の表面１１２および左右側面となる第１の側壁１１３を備えている。回転アーム１３０は本体１１０の第１の側壁１１３に回動自在に連結される。カバー１４０は回転アーム１３０に回動自在に連結される。カバー１４０が回転アーム１３０に対し相対回動し、回転アーム１３０が本体１１０に対し相対回動することで、カバー１４０は第２の表面１１２またはスクリーン１２０を選択的に覆う。【選択図】      図２
2006072357.tif 000002
【特許請求の範囲】
【請求項１】
互いに交差しない第１の表面および第２の表面、ならびに前記第１の表面および前記第２の表面に隣接する第１の側壁を備える本体と、
前記本体の前記第１の表面に設置されたスクリーンと、
その第１の端部により前記本体の前記第１の側壁に回動自在に連結された回転アームと、
前記回転アームの第２の端部に回動自在に連結され、その前記回転アームに対する相対回動、および前記回転アームの前記本体に対する相対回動を通して、前記第２の表面または前記スクリーンのいずれかを選択的に覆うカバーと、
を含む表示装置。
【請求項２】
前記第１の側壁が第１端、連結部および第２端を備えており、前記第１端と前記第２端とは対向し合い、前記連結部は前記第１端と前記第２端との間に配置され、かつ、前記連結部には前記回転アームの前記第１の端部が回動自在に連結される、請求項１記載の表示装置。
【請求項３】
前記カバーが、対向し合う第３端および第４端を有した第２の側壁を備え、前記第４端は前記回転アームに回動自在に連結されており、前記カバーが前記第２の表面を覆う際は、前記カバーの前記第３端が前記第１の側壁の前記第１端上に位置すると共に前記カバーの前記第４端が前記第１の側壁の前記第２端上に位置するかたちで前記カバーの前記第２の側壁と前記本体の前記第１の側壁とがぴったりと重なり合い、前記カバーが前記スクリーンを覆う際には、前記カバーの前記第３端が前記第１の側壁の前記第２端上に位置すると共に前記カバーの第４端が前記第１の側壁の前記第１端に位置するかたちで前記カバーの前記第２の側壁と前記本体の前記第１の側壁とがぴったりと重なり合う、請求項２記載の表示装置。
【請求項４】
前記第１の側壁が、前記第１端に配置された第１の係合部と、前記第２端に配置された第２の係合部とをさらに備え、前記第２の側壁が、前記第３端に配置された第３の係合部をさらに備えており、前記カバーが前記第２の表面を覆う際は、前記第１の側壁の前記第１の係合部と前記第２の側壁の前記第３の係合部とが係合し、前記カバーが前記スクリーンを覆う際には、前記第１の側壁の前記第２の係合部と前記第２の側壁の前記第３の係合部とが係合する、請求項３記載の表示装置。
【請求項５】
前記第１の係合部および前記第２の係合部がラッチであり、前記第３の係合部が凹溝である、請求項４記載の表示装置。
【請求項６】
前記第１の係合部および前記第２の係合部が凹溝であり、前記第３の係合部がラッチである、請求項４記載の表示装置。
【請求項７】
前記連結部が前記第１の側壁の中心点上に位置している、請求項２記載の表示装置。
【請求項８】
前記カバーの形状が略コ字形である、請求項１記載の表示装置。
【請求項９】
前記回転アームの形状が略Ｌ字形である、請求項１記載の表示装置。
【請求項１０】
前記スクリーンが液晶スクリーンである、請求項１記載の表示装置。
【請求項１１】
前記本体の前記第２の表面に設けられる信号接続部をさらに備える請求項１記載の表示装置。
【請求項１２】
前記第１の側壁は、互いに交差しない１対の面からなる、請求項１記載の表示装置。
【発明の詳細な説明】
【技術分野】
【０００１】
本発明は表示装置に関し、特にフラットパネルを用いた表示装置に適用して好適であり、より詳細には、回動自在なカバーを備えた表示装置に関する。
【背景技術】
【０００２】
現在、液晶表示装置の中にはすでにテレビジョン機能を有しているものもあるが、こういったタイプの液晶表示装置は通常、ＲＦアンテナ、ＤＶＤ再生装置またはパーソナルコンピュータ等の電子機器に接続されて信号を受信する、または、例えばスピーカー等その他のオーディオ・ビデオ機器へ関連する信号を転送する必要がある。このような液晶表示装置の背面には各種信号線が差し込まれることとなるので、その配線方式も表示装置の外観デザインにおける大切な１要素となる。特に、液晶表示装置の背部を外に向けて用いるような場合（例えば、ホテルのロビーカウンターでの使用等）には尚更、その背部の外観が重要となる。
【０００３】
図１に示されるような公知の液晶表示装置１は、上述の問題を解決するために、配線カバー１１が装備されている。この配線カバー１１は、信号線１２およびそのコネクタ（未表示）を覆うべく液晶表示装置１の背部に設置されると共に、信号線１２を引き出すための小さな開口１３を有している。
【０００４】
また、別な液晶表示装置には、液晶表示装置の背部を完全に覆うことのできる大型の配線カバーが装備されているものもある。
【発明の開示】
【発明が解決しようとする課題】
【０００５】
一般に、前記信号線１２は硬く撓みにくい材質からなっているので、このような構成では配線作業がスムーズに行えない。また、液晶表示装置１の背部に配線カバー１１を設けても、信号線１２が液晶表示装置１の背部に露出することは変わらず、外観に影響を与える点では同じである。さらに、この種の配線カバー１１はほとんどが着脱の困難な構成となっているため、ユーザーが信号線１２またはコネクタの差込（または抜脱）を行おうとする際には非常に厄介である。
【０００６】
液晶表示装置の背部を完全に覆うことのできる大型の配線カバーを装備した液晶表示装置によれば、信号線を撓ませることなく直接配線カバーの下方から引き出すことができるので、液晶表示装置背部の外観をすっきりさせることが可能となる。しかし、信号線の差込・抜脱時に配線カバーを取り外すにあたり、このような大型の配線カバーでは、それを置いておくためにかなり大きなスペースが必要となってしまうため、使用上不便である。
【０００７】
また、液晶表示装置のスクリーンは損傷を受け易いが、公知の液晶表示装置には、スクリーンを保護する機能や手段も備わっていない。
【０００８】
そこで、本発明の目的は、上述のような不具合を解消することのできる回転自在なカバーを備えた表示装置を提供することにある。
【課題を解決するための手段】
【０００９】
上述した目的を解決するため、本発明が提供する表示装置は、互いに交差しない第１の表面および第２の表面、ならびに前記第１の表面および前記第２の表面に隣接する第１の側壁を備える本体と、前記本体の前記第１の表面に設置されたスクリーンと、前記本体の前記第１の側壁に回動自在に連結された回転アームと、前記回転アームに回動自在に連結され、その前記回転アームに対する相対回動、および前記回転アームの前記本体に対する相対回動を通して、前記第２の表面または前記スクリーンのいずれかを選択的に覆うカバーと、を含んでなる。
【００１０】
前記第１の側壁が第１端、連結部および第２端を備えており、前記第１端と前記第２端とは対向し合い、前記連結部は前記第１端と前記第２端との間に配置され、かつ、前記連結部には前記回転アームが回動自在に連結されることが好ましい。
【００１１】
前記カバーが、対向し合う第３端および第４端を有した第２の側壁を備え、前記第４端は前記回転アームに回動自在に連結されており、前記カバーが前記第２の表面を覆う際は、前記カバーの前記第３端が前記第１の側壁の前記第１端上に位置すると共に前記カバーの前記第４端が前記第１の側壁の前記第２端上に位置するかたちで前記カバーの前記第２の側壁と前記本体の前記第１の側壁とがぴったりと重なり合い、前記カバーが前記スクリーンを覆う際には、前記カバーの前記第３端が前記第１の側壁の前記第２端上に位置すると共に前記カバーの第４端が前記第１の側壁の前記第１端に位置するかたちで前記カバーの前記第２の側壁と前記本体の前記第１の側壁とがぴったりと重なり合うことが好ましい。
【００１２】
前記第１の側壁が、前記第１端に配置された第１の係合部と、前記第２端に配置された第２の係合部とをさらに備え、前記第２の側壁が、前記第３端に配置された第３の係合部をさらに備えており、前記カバーが前記第２の表面を覆う際は、前記第１の側壁の前記第１の係合部と前記第２の側壁の前記第３の係合部とが係合し、前記カバーが前記スクリーンを覆う際には、前記第１の側壁の前記第２の係合部と前記第２の側壁の前記第３の係合部とが係合することが好ましい。
【００１３】
前記第１の係合部および前記第２の係合部がラッチであり、前記第３の係合部が凹溝であることが好ましい。
【００１４】
前記第１の係合部および前記第２の係合部が凹溝であり、前記第３の係合部がラッチであることが好ましい。
【００１５】
前記連結部が前記第１の側壁の中心点上に位置していることが好ましい。
【００１６】
前記カバーの形状が略コ字形であることが好ましい。
【００１７】
前記回転アームの形状が略Ｌ字形であることが好ましい。
【００１８】
前記スクリーンが液晶スクリーンであることが好ましい。
【００１９】
前記本体の前記第２の表面に設けられる信号接続部をさらに備えることが好ましい。
【００２０】
前記第１の側壁は、互いに交差しない１対の面からなることが好ましい。
【発明の効果】
【００２１】
本発明によれば、表示装置の背面を信号線および信号接続部を完全に覆い隠すように覆うことができると共に、スクリーンを覆って保護することも可能である。従って、配線作業が容易に行えるようになり、かつ、よりすっきりとした外観が得られる。
【発明を実施するための最良の形態】
【００２２】
本発明の上述した目的、特徴および長所がより明りょうに理解されるよう、以下に、好ましい実施形態を挙げて、添付の図面と対応させながら詳細に説明する。
【００２３】
図２に示すのは本発明に係る表示装置１００であって、これは主に、本体１１０、スクリーン１２０、２つの対向して設けられた回転アーム１３０、およびカバー１４０を含んで構成される。
【００２４】
本体１１０は扁辺な立方体形状からなり、表示面を有する第１の表面１１１、第１の表面と略々平行で背面となる第２の表面１１２、および左右側面となる２つの対向する第１の側壁１１３を備えている。第１の表面１１１と第２の表面１１２とは、互いに交差しないようにその表面と反対面において上記本体の厚さを隔てて対向し合っており、各第１の側壁１１３は、互いに交差しない１対の面からなり、かついずれも第１の表面１１１および第２の表面１１２に隣接している。なお、上記対向し合うとは、上述したように表面に限らずその反対面(背中合せ)も含む概念であり、「互いに交差しない」と同じ意味であり、面に限らず、辺等の線も含むものである。各第１の側壁１１３は、その上端辺からなる第１端１１４、連結部１１５および下端辺からなる第２端１１６を備え、第１端１１４と第２端１１６とは本体の高さを隔てて対向し合っており、連結部１１５は第１端１１４と第２端１１６との間に配置されている。本実施形態において、連結部１１５は、第１の側壁１１３の中心点上に位置している。特徴的であるのは、第１の側壁１１３がさらに、第１端１１４に配置された第１の係合部１１７と、第２端１１６に配置された第２の係合部１１８とを有している点である。
【００２５】
スクリーン１２０は、本体１１０の第１の表面１１１に配置される。本実施形態では、スクリーン１２０は液晶スクリーンである。
【００２６】
２つの対向して設けられた回転アーム１３０は、本体１１０の２つの対向する第１の側壁１１３にそれぞれ回動自在に連結される。より具体的に言うと、各回転アーム１３０は、各第１の側壁１１３の連結部１１５に回動自在にそれぞれ連結されている。また、本実施形態による回転アーム１３０の形状は略Ｌ字形である。
【００２７】
カバー１４０は、２つの対向して設けられた回転アーム１３０に回動自在に連結される。このことをより具体的に説明すると次のとおりである。カバー１４０は、略コ字形の形状であり、対向し合う第２の側壁１４１を備えている。これら各第２の側壁１４１は、第３端１４２および第４端１４３を有しており、第３端１４２と第４端１４３とは互いに対向している。特徴的であるのは、第４端１４３が回転アーム１３０に回動自在に連結される点である。第２の側壁１４１は、さらに第３の係合部１４４を有しており、この第３の係合部１４４は、第２の側壁１４１の第３端１４２に配置されている。
【００２８】
なお、注目すべきなのは、第１の側壁１１３の第１の係合部１１７と第２の係合部１１８をラッチの構造とし第２の側壁１４１の第３の係合部１４４を凹溝としてもよいし、その反対で、第１の側壁１１３の第１の係合部１１７と第２の係合部１１８を凹溝の構造とし第２の側壁１４１の第３の係合部１４４をラッチとしてもよいという点である。
【００２９】
また、図３に示されるように、本体１１０の第２の表面１１２に、各種信号線Ｓを差し込むための信号接続部１５０が１個または複数個設けられていてもよい。
【００３０】
次に本発明に係る表示装置１００の操作方式について説明する。
【００３１】
先ず、図２および３に示されるように、カバー１４０で本体１１０の第２の表面１１２を覆いたい場合には、回転アーム１３０を第１の側壁１１３の連結部１１５周りに下方へと回動させると同時に、カバー１４０を回転アーム１３０に連動させて下方へ回動させる。回転アーム１３０をさらに第１の側壁１１３の位置まで回動させ、本体１１０の第１の表面１１１または第２の表面１１２と平行にすると、カバー１４０の第２の側壁１４１の第４端１４３が、本体１１０の第１の側壁１１３の第２端１１６の位置に来ることとなる。引き続き、カバー１４０を、第２の側壁１４１の第４端１４３を支点として、第２の側壁１４１の第３端１４２が第１の側壁１１３の第１端１１４の位置に来るように回動させる。そして、第１の側壁１１３の第１端１１４における第１の係合部１１７と、第２の側壁１４１の第３端１４２における第３の係合部１４４とを係合させると、第２の側壁１４１と第１の側壁１１３とがぴったりと重なり合うことになる。このとき、図４に示されるように、カバー１４０は、本体１１０の第２の表面１１２全体を完全に覆う。上述したごとくに、カバー１４０が本体１１０の第２の表面１１２を覆うと、第２の表面１１２に位置する信号接続部１５０および各種信号線Ｓが完全に覆い隠された状態で、各種信号線Ｓがカバー１４０下方から引き出されることとなる。したがって、信号線Ｓの繁雑な配線作業を省くことができる他、表示装置１００をよりすっきりした優れた外観にさせることができる。
【００３２】
一方、信号線Ｓを抜脱しようとする場合、または表示装置１００を長時間使用しない際にスクリーン１２０を損傷から保護しようとする場合には、回転アーム１３０を図４もしくは図３に示される位置から第１の側壁１１３の連結部１１５周りに上方へと回動させると同時に、カバー１４０も回転アーム１３０に連動させて上方に回動させる。回転アーム１３０をさらに第１の側壁１１３の位置まで回動させて、本体１１０の第１の表面１１１または第２の表面１１２と平行にすると、カバー１４０の第２の側壁１４１の第４端１４３が本体１１０第１の側壁１１３の第１端１１４の位置に来ることとなる。引き続いて、第２の側壁１４１の第４端１４３を支点とし、カバー１４０を、第２の側壁１４１の第３端１４２が第１の側壁１１３の第２端１１６の位置に来るように回動させる。そして、第１の側壁１１３の第２端１１６における第２の係合部１１８と、第２の側壁１４１の第３端１４２における第３の係合部１４４とを係合させれば、第２の側壁１４１と第１の側壁１１３とがぴったりと重なり合うこととなる。このとき、図５に示されるように、カバー１４０はスクリーン１２０全体を完全に覆ってこれを保護する。
【００３３】
本発明を好ましい実施形態によって以上のように開示したが、これは本発明を限定するものではなく、当業者であれば本発明の精神と範囲から逸脱しない限りにおいて、いくらかの変更や修飾を加えることができる。よって、本発明の保護範囲は、添付の特許請求の範囲によって定義されたものが基準となる。
【図面の簡単な説明】
【００３４】
【図１】公知の液晶表示装置の外観説明図である。
【図２】本発明に係る表示装置の操作方式を説明するための立体説明図である。
【図３】本発明に係る表示装置の操作方式を説明するための別な立体説明図である。
【図４】本発明に係る表示装置が所定の状態にあるときの立体説明図である。
【図５】本発明に係る表示装置が別な所定の状態にあるときの立体説明図である。
【符号の説明】
【００３５】
１００    表示装置
１１０    本体
１１１    第１の表面
１１２    第２の表面
１１３    第１の側壁
１１４    第１端
１１５    連結部
１１６    第２端
１１７    第１の係合部
１１８    第２の係合部
１２０    スクリーン
１３０    回転アーム
１４０    カバー
１４１    第２の側壁
１４２    第３端
１４３    第４端
１４４    第３の係合部
１５０    信号接続部
【図１】
2006072357.tif 000003
【図２】
2006072357.tif 000004
【図３】
2006072357.tif 000005
【図４】
2006072357.tif 000006
【図５】
2006072357.tif 000007